【事件の表示】
　特願２０００−１２８９２０「上水道シミュレーション装置」拒絶査定不服審判事件〔平成１３年１１月　９日出願公開、特開２００１−３１２５２８〕について、次のとおり審決する。
【結　論】
　本件審判の請求は、成り立たない。
【理　由】
１．手続の経緯
　本願は、平成１２年４月２８日の出願であって、平成１７年１２月２７日付けで拒絶査定がなされ、これに対し、平成１８年２月３日に拒絶査定に対する審判請求がなされるとともに、同年３月３日付けで手続補正がなされたものである。
　
２．平成１８年３月３日付けの手続補正についての補正却下の決定
[補正却下の決定の結論]
　平成１８年３月３日付けの手続補正を却下する。
[理由]
（１）補正後の本願発明
　本件補正により、特許請求の範囲の請求項１は、
「入力装置および表示装置を備えた中央演算処理装置と、前記表示装置上に上水道施設の各設備を
個別に分割した
前記個別の象形図を選択し設備の配置を行なうためのリストを表示する象形図リスト表示モジュールと
　
前記演算モジュールを象形図毎に個別に演算処理ができるようにした個別の演算モジュールとし、かつ
と補正された。
　
（２）上記補正のうち、「個別の演算モジュール」については、出願当初の明細書に記載されていない。すなわち、明細書段落【０００５】には、「Ｍ１１〜Ｍ１８は各種プログラムからなる各種モジュールである。」「Ｍ１２は、（中略）シミュレーション画面４１上で設備の個別の象形図を選択できるようにしたモジュールで、上水道施設に必要な設備を全て網羅しており、象形図毎に設備範囲内での演算処理を行うことができる。」とあり、段落【０００７】には、「本発明によれば設備の象形図を個別のモジュールに分割して設け」とあり、また、図１には、Ｍ１３として「演算モジュール（個別象形図）」が記載されている。
　しかしながら、上記記載を参酌しても、象形図自体は個別のモジュールであるとしても、演算モジュールが個別の象形図毎に個別モジュールとなっていることが記載されているとはいえない。むしろ、図１にあるように１つの演算モジュールが個別の象形図それぞれについて演算する機能を有しているにとどまるものといえる。してみれば、「個別の演算モジュール」との補正は、明細書記載の範囲内においてしたものとはいえないのであり、特許法第１７条の２第３項の規定に違反してなされたものである。
　
（３）むすび
　以上のとおり、本件補正は、特許法第１７条の２第３項の規定に違反するものといえるから、特許法第１５９条第１項において読み替えて準用する同法第５３条第１項の規定により却下すべきものである。
　
３．本願発明について
（１）平成１８年３月３日付けの手続補正は上記のとおり却下されたので、本願の請求項１ないし２に係る発明は、平成１７年１２月２日付けで手続補正された明細書の特許請求の範囲請求項１ないし２に記載された事項により特定される発明と認められるところ、その請求項１に係る発明（以下、「本願発明」という）は、以下のとおりのものである。
「入力装置および表示装置を備えた中央演算処理装置と、前記表示装置上に上水道施設の各設備を
個別に分割した
前記個別の象形図を選択し設備の配置を行なうためのリストを表示する象形図リスト表示モジュールと
　
前記象形図表示モジュールは象形図毎に演算処理ができるプログラムを組み込んだものとし、
　
（２）刊行物
　原審拒絶理由で引用された、本願の出願日前である平成９年６月２０日に頒布された「特開平９−１６０９００号公報」（以下、「刊行物１」という）は、「監視装置のシミュレータ」に関するものであって、その公報には図面とともに次の事項が記載されている。
（ア）「実施の形態１．以下、この発明の実施の形態１を図に基づいて説明する。図１はこの発明に係る上水道プラント監視制御システムにおける計算機のディスプレイに表示される配水管網のシミュレータの画面を示す図である。図１において、１はＣＲＴディスプレイ等の表示装置の画面に示された配水管網シミュレータの画面、２は系統図である配水管網図を作成・表示する作成シートである配水管網作成シートである。３は図形記号である配水管網図の構成要素部品（配水管網図構成機器を表わす部品）アイコンを格納する部品箱である。４〜９は配水管網図の構成要素部品アイコンである浄配水場４、需要点５、接続点６、管７、バルブ８、ポンプ９を示す部品アイコンである。これらの部品アイコンは点を表わす節点部品アイコンと、２つの節点部品を接続する管路部品アイコンとに分類することができる。節点部品アイコンには浄配水場部品アイコン４、需要点部品アイコン５、接続点部品アイコン６があり、管路部品アイコンには管部品アイコン７、バルブ部品アイコン８、ポンプ部品アイコン９がある。
ここで、浄配水場とは水の供給源であり、需要点とは水を消費する点であり、接続点とは管路の接続する点を表わす。管とは節点部品間を接続する配水管路であり、バルブとは流量調節機能がついた管路であり、ポンプとは水圧の調節機能がついた管路を表わす。１０〜１３は配水管網シミュレータの使用データを切り替えるボタンであり、１０は初期データボタン、１１はオンラインデータボタン、１２はＭＯデータボタン、１３はＭＯデータ定周期ボタンである。そして、１０〜１３のボタンのうち１つのみが選択可能となる。１４はエディタとシミュレーションのモードを切り替えるモード切替ボタンである。
また、図２はこの発明に係る配水管網シミュレータの機能構成図である。１５は系統図作成手段および初期データ作成手段を形成する配水管網図作成部であり、配水管網図およびシミュレーションのパラメータとなるシミュレーション初期データを作成するものである。１６は配水管網図作成部１５で作成した配水管網背景データベースであり、１７は配水管網図作成部１５で作成したシミュレーション初期データベースである。１８はオンラインデータ収集手段であり、オンラインプラントデータの収集を司るオンライン収集部である。１９は過去のオンラインデータを保存する光磁気ディスク、２０は過去データ収集手段であり、光磁気ディスク１９からの過去データ収集を司る過去データ収集部である。２１はシミュレーション手段であり、シミュレーション初期データベース１７のユーザー設定初期データ、またはオンライン収集部１８からのオンラインプラントデータ、あるいは過去データ収集部２０からの過去データを元に配水管網シミュレーションを行うシミュレータ部である。２２はシミュレーションの結果データを格納するシミュレーション結果データベースである。２３は描画手段であり、配水管網背景データベース１６およびシミュレーション結果データベース２２のデータを画面上に表示する描画部である。ここで、配水管網図作成部１５、オンライン収集部１８、過去データ収集部２０、シミュレータ部２１、および描画部の各機能は、計算機のプログラムにより実行される。つまり、一連のプログラムにより処理する処理手段により実行される。」（４頁５欄段落【００１３】ないし６欄段落【００１６】、図１）
　
（イ）「つぎに、動作について説明する。マウス等のポインティングデバイスを用いて部品箱３より配水管網図の構成要素部品を表わすアイコン４〜９が選択されたとき、配水管網図作成部１５は、そのアイコンの背景色を変化させ、そのアイコンが選択状態であることを表わす。図３はこの発明に係る配水管網シミュレータのエディタ画面におけるアイコンの選択状態（ここではバルブのアイコンが選択されている）を示す図である。つぎに、作成シートであるシート２上でマウスをクリックすることにより、シート２上のマウスをクリックした位置に選択したアイコンが表わす配水図構成要素部品が配置される。図４はこの発明に係る配水管網シミュレータのエディタ画面におけるシート２上に節点部品（浄配水場２４、需要点２５、接続点２６）が配置された状態を示す図である。
また、管路部品の場合はシート２上の２つの節点部品を順序（前後）づけてマウスでクリックすることにより、その節点部品間を結ぶ線分として前クリック位置から後クリック位置に向けた矢印とともに配置される。図５はこの発明に係る配水管網シミュレータのエディタ画面におけるシート２上の浄配水場２４、需要点２５および接続点２６間に、管路２７、バルブ２８およびポンプ２９が接続された状態を示す図である。図６はこの発明に係る配水管網シミュレータのエディタ画面におけるシート２上に作成した配水管網図である。このようなオペレーションを繰り返すと、たとえば図６ような配水管網図を作成することができる。
また、シート２に配置されている配水管網図構成要素部品をマウスで選択すると、各部品単位のアクションメニュー３０（図７）が表示され、移動・複製・削除オペレーションやシミュレーション初期データの設定・グラフ表示を行なうことができる。図７はこの発明に係る配水管網シミュレータのエディタ画面にアクションメニュー３０が表示された状態を示す図で、シート２上に描画されている配水管網図構成要素部品（ここでは需要点２５）を選択し、この需要点２５に対応するアクションメニュー３０が表示された場合に基づいて説明する。ここで作成した配水管網図およびシミュレーション初期データは配水管網背景データベース１６およびシミュレーション初期データベース１７に保存される。
つぎに、配水管網シミュレータのオペレータによる一連の操作を図８のフローチャートとともに説明する。配水管網図作成部１５は、モード切替えボタン１４によりエディタモードが選択されこの処理開始とともにオペレータからの入力を待つ（ＳＴ１）。入力事象が終了のとき（ＳＴ２）は処理を終了する。オペレータが部品箱３上の配水管網図構成要素部品アイコンをマウスにより選択すると（ＳＴ３）、そのアイコンが選択状態（ＳＴ４）となる。ついで、シート２上をマウスでクリック（ＳＴ５）したとき、アイコンが選択状態（図３）ならそのアイコンが表わす部品をシート２上に配置する。また、選択状態の部品の種別によってさらに２つの処理に別れる。節点部品の場合（ＳＴ６）シート上のマウスをクリックした点にその部品が配置される（ＳＴ８）。管路部品の場合（ＳＴ９）はシート上のある節点部品上でマウスを（前）クリックした場合（ＳＴ１０）のみ有効であり、さらに別の節点上でマウスを（後）クリックした場合（ＳＴ１１）にそれらの節点間に前クリック位置から後クリック位置に向けた矢印とともに管路部品が配置され（ＳＴ１２）、その他の場合はオペレーションミスとなり入力待ち状態（ＳＴ１）に戻る。
また、シート２上でマウスをクリックしたとき（ＳＴ１３）、アイコンが未選択状態でかつ配水管網図構成部品上をクリックした（ＳＴ１４）ならば、そのクリックされた配水管網図構成部品のアクションメニュー３０が表示される（ＳＴ１５）。アクションメニューから移動（ＳＴ１６、ＳＴ２１）、複製（ＳＴ１７、ＳＴ２２）、削除（ＳＴ１８、ＳＴ２３）、データ設定（ＳＴ１９、ＳＴ２４）、グラフ表示（ＳＴ２０、ＳＴ２５）のうちいずれかの選択したオペレーションを行なうことができる。また、配水管網図作成作業終了のリクエスト（ＳＴ２）を受けたときは、作成した配水管網図の保存確認（ＳＴ２６）を行ない、入力が保存のときは配水管網背景データベース１６およびシミュレーション初期データベース１７の保存（ＳＴ２７）を行ない終了し、その他の場合は編集状態を廃棄して終了する。以上のように配水管網シミュレータを構成したので、系統図（配水管網図の背景画）およびシミュレーション初期データを同じシート２上で作成することができる。そして、シート２上に配水管網図を作成し、視覚的な対応をとりながらシミュレーション初期データを入力できる。したがって、系統図およびシミュレーション初期データの入力段階で、入力位置に関するミスを防止することができる。さらに、系統図およびシミュレーション初期データの作成・修正作業を容易にすることができる。」（４頁６欄段落【００１７】ないし５頁８欄段落【００２２】、図３ないし８）
　
（ウ）「実施の形態２．以下、この発明の実施の形態２を図に基づいて説明する。図９はこの発明に係る配水管網シミュレータ機能の画面におけるモード切替えを説明する図であり、図９上段はエディタモードを示し、図９の下段はシミュレーションモードを示している。実施の形態２の構成要素は、実施の形態１の構成要素と同じであるので、同一符号を付してその説明を省略する。図９において、上段のエディタモードで系統図およびシミュレーション初期データを作成した後、モード切替えボタン１４をマウスで選択すると、配水管網シミュレータのモードは、下段のシミュレーションモードへと切り替る。同様に、配水管網シミュレータのモードがシミュレーションモードであるときに、モード切替えボタン１４をマウスで選択すると、エディタモードに切り替る。
このときの動作を図１０の系統図およびシミュレーション初期データの変更をするときの動作を示すフローチャートに基づいて説明する。図１０の説明では始めはシミュレーションモード（Ｓ５１）である。そして、配水管網の工事などにより、系統図の変更要求があるかどうかをチェックする（Ｓ５３）。系統図の変更があるときには、モード切替えボタン１４をマウスで選択することによりエディタモードに切替える（Ｓ５５）。ついで、変更内容にあわせて配水管網背景データベース１６を変更し（Ｓ５７）、この変更にあわせて変更が必要なシミュレーション初期データベース１７を変更する（Ｓ５９）。ついで、モード切替えボタン１４をマウスで選択することによりシミュレーションモードに切替え（Ｓ６１）、初期データボタン１０をマウスで選択することによりシミュレーションを実行する（Ｓ６７）。
一方、（Ｓ５３）のチェックにより系統図の変更要求がないときには、シミュレーション初期データの変更要求があるかどうかをチェックする（Ｓ６３）。シミュレーション初期データの変更があるときには、モード切替えボタン１４をマウスで選択することによりエディタモードに切替える（Ｓ６５）。ついで、変更内容にあわせてシミュレーション初期データベース１７を変更する（Ｓ５９）。ついで、モード切替えボタン１４をマウスで選択することによりシミュレーションモードに切替え（Ｓ６１）、初期データボタン１０をマウスで選択することによりシミュレーションを実行する（Ｓ６７）。また、（Ｓ６３）のチェックによりシミュレーション初期データの変更要求がないときには、シミュレーションを実行する（Ｓ６７）。
以上のように配水管網シミュレータを構成したので、配水管網図エディタ機能を、モード切替ボタン１４でエディタモードからシミュレーションモードに移行することにより、配水管網図エディタ機能で作成したデータを元にシミュレーションを行ない、その結果をエディタ機能で作成した画面上に表示することができる。つまり、系統図およびシミュレーション初期データの作成・修正作業をした後、シミュレータを再起動することなくシミュレーションをすることができるシミュレータを提供することができる。例えば、所定の間隔（実施の形態４で説明する）で連続的にシミュレーションをすることができるシミュレータを提供することができる。
実施の形態３．以下、この発明の実施の形態３を図に基づいて説明する。図１１はこの発明に係る配水管網シミュレータのエディタ画面における移動オペレーションを行った状態を示す図である。図１１において、３１は選択状態の部品（この場合は需要点）であり、３２は選択状態の部品の結果データ即ちシミュレーション結果である。そして、選択状態の部品３１と選択状態の部品の結果データにはリンク手段によりリンク関係がある。ここで、リンク手段とは、図示しないが、描画部２３が配水管網背景データベース１６に基づいて描画する系統図の部品（位置）とシミュレーション部品データベース２２に基づいて描画する結果データ３２の描画位置とを関係するようにしたプログラムである。その他の実施の形態３の構成要素は、実施の形態１の構成要素と同じであるので、同一符号を付してその説明を省略する。
例えば、図１１のようにエディタモードのとき、マウスで需要点２５を選択することにより選択状態の部品３１となり表示色が変化する。ついで、アクションメニュー３０の中の移動を選択し、シート２上の上側から下側に選択状態の部品３１をドラッグする。この操作によって、需要点２５つまり選択状態の部品３１は図１１の上段の図から下段の図の示す位置に移動することができる。そして、配水管網図の部品移動オペレーションを行なった場合、その部品３１とその部品に関連するシミュレーション結果データ３２間にはリンク情報があるため、部品（位置）の移動に伴って結果データ表示位置も自動的に移動することができる。
モード切替ボタン１４で、シミュレーションモードからエディタモードに移行することにより、シミュレーション結果を表示している配水管網図上で、シミュレーション初期データを修正してパラメータ調節、および配水管網図の修正を行なうことができる。このように、シミュレーションモードとエディタモードを相互に移動できることにより、パラメータ調節とシミュレーションを交互に実行することにより、たとえばバルブの開度により、管の流量がどのように変動するか等を、インタラクティブに認識することを可能としている。さらに、部品３１とその部品に関連するシミュレーション結果データ３２間にはリンク情報があるため、部品の移動に伴って結果データ表示位置も自動的に移動するので、部品３１の移動に対してシミュレーション結果データ３２の描画位置を意識する必要がない。なお、実施の形態２で説明したように、系統図およびシミュレーション初期データを変更するときにも同様に、シミュレーション結果データ３２の描画位置を意識する必要がない。」（５頁８欄段落【００２３】ないし６頁１０欄段落【００２９】、図９ないし１１）
　
（エ）「実施の形態４．以下、この発明の実施の形態４を図に基づいて説明する。図１２はこの発明に係る配水管網シミュレータにおけるオンラインデータによるシミュレーションを示す機能構成図である。実施の形態４の構成要素は、実施の形態１の構成要素と同じであるのでその説明を省略する。実施の形態１〜３では、ユーザー設定のパラメータにより初期データを作成しシミュレーションを行なう場合について説明したが、プラントのオンラインデータを元に初期データを作成しシミュレーションを行う場合について説明する。上水プラントでは、管・バルブ等の各プラント機器にセンサーが設置されており、オンラインにデータを収集してプラントのリアルタイム監視を行うことができる。しかし、すべての機器にセンサーが設置されているわけではなく、センサーの設置されていないプラント機器の状態を監視することは不可能であった。
つぎに、動作について説明する。オンラインボタン１１を選択することにより、オンラインシミュレータが起動される。そして、オンラインデータ収集手段であるオンライン収集部１８は、所定の間隔例えば定周期間隔でオンラインデータを収集し、オンライン初期データを作成し、オンラインデータ収集の都度シミュレータ部２１でシミュレーション実行し、描画部２３による画面描画を行うことによりオンラインシミュレーションが実現される。ここで、オンラインデータを収集する所定の間隔とは、シミュレーションを実行する時間よりも少なくとも長い時間であれば良く、この時間は、対象とするプラント毎に異なる。例えば、この発明の配水管網シミュレータにおいて、かなり大規模なノード点数が数千個、管路点数がその数倍の配水管網プラントのシミュレーション時間は５秒程度であるので、それ以上長い時間であればよい。また、シミュレーション時間は、ノード点数のほぼべき乗に比例するので、ノード点数が数百であれば数十ｍ秒となり、一般的なプラント監視装置の監視間隔の１秒以下となる。
実施の形態２で説明したように、この発明の配水管網シミュレータは、系統図およびシミュレーション初期データの作成・修正作業をした後、シミュレータを再起動することなくシミュレーションをすることができる。したがって、オンラインデータを元にしたシミュレーションをすることができ、シミュレーション機能により、オンラインデータ収集と、収集したデータを元にしたシミュレーションを定周期に繰り返すことによって、センサーが設置されているプラント機器のデータを元にシミュレーションを行ない、センサーの設置されていない機器に関しても、リアルタイムでその状態を連続的に監視することができるようになる。さらに、シミュレーションの精度が保証されるだけのセンサーを配水管網に配置すればよいので、例えば従来の配水管網プラント監視装置に用いられていたセンサーの個数、つまり必要以上のセンサーを必要としない。
実施の形態５．以下、この発明の実施の形態５を図に基づいて説明する。図１３はこの発明に係る配水管網シミュレータにおけるオンラインデータによるシート上のシミュレーション結果をトレンドグラフにより表示する説明図である。３０は移動、複製、削除、データ設定、グラフ表示をマウスにより選択することができるアクションメニューである。３３はシミュレーション結果をグラフ表示する動画であるリアルタイムトレンドグラフである。その他の実施の形態５の構成要素は、実施の形態４の構成要素と同じであるのでその説明を省略する。実施の形態４では、オンラインシミュレータについて説明した、つまり、定周期でオンラインデータに基づいてシミュレーションを実行し、数値によるシミュレーション結果データの定周期で変更し表示した。図１３に示すように配水管網図上のある部品（ここでは需要点２５）のアクションメニュー３０からグラフ表示を選択することにより、その部品に関するシミュレーション結果データを推移を動画であるリアルタイムトレンドグラフ３３により表示する。以上のように配水管網シミュレータは定周期で連続的にシミュレーションすることができ、かつ、シミュレーション結果の推移をリアルタイムトレンドグラフにより表示するように構成されているので、配水管網図上の各部品にグラフ表示機能を持たせることにより、トレンドグラフ表示で時系列によるシミュレーション結果データの変動を視覚的に容易に把握することができるようになる。」（６頁１０欄段落【００３０】ないし７頁１１欄段落【００３４】、図１２，１３）
　
（オ）「この発明に係る監視装置のシミュレータは、ポインティングデバイスの操作により表示装置の作成シート上の所望の位置に図形記号を配置することにより所望の系統図を作成する系統図作成手段と、上記図形記号に対するシミュレーション初期データを作成する初期データ作成手段と、上記初期データに基づいて上記系統のシミュレーションを行うシミュレーション手段と、上記シミュレーション手段により得られたシミュレーション結果データに基づいて上記作成シート上にシミュレーション結果を描画する描画手段と、上記系統図作成手段、初期データ作成手段、シミュレーション手段および描画手段を一連のコンピュータプログラムにより処理する処理手段とを備えたので、系統図およびシミュレーション初期データを同じ作成シート上で作成することができ、作成シート上に系統図を作成し、視覚的な対応をとりながらシミュレーション初期データを入力でき、系統図およびシミュレーション初期データの入力段階で、入力位置に関してミスことを防止でき、かつ、シミュレーションと描画を相互に監視装置のシミュレータの再起動をすることなく実行でき移動できる。さらに、系統図およびシミュレーション初期データの作成・修正作業を容易にすることができる。
また、作成シート上における図形記号の配置位置と該図形記号に対応するシミュレーション結果の描画位置に関係を持たせるリンク手段を有するので、、系統図およびシミュレーション初期データを変更するときにシミュレーション結果の描画位置を意識する必要がなく、ユーザインタフェースが優れた監視装置のシミュレータを提供することができる。
（中略）
さらにまた、この発明に係る監視装置のシミュレーション方法は、ポインティングデバイスの操作により表示装置の作成シート上の所望の位置に図形記号を配置することにより所望の系統図を作成する系統図作成ステップと、上記図形記号に対するシミュレーション初期データを作成する初期データ作成ステップと、上記初期データに基づいて上記系統のシミュレーションを行うシミュレーションステップと、上記シミュレーションステップにより得られたシミュレーション結果データに基づいて上記作成シート上にシミュレーション結果を描画する描画ステップと、上記系統図作成ステップ、初期データ作成ステップ、シミュレーションステップおよび描画ステップを一連のコンピュータプログラムにより処理する処理ステップとを含むので、系統図およびシミュレーション初期データを同じ作成シート上で作成することができ、作成シート上に系統図を作成し、視覚的な対応をとりながらシミュレーション初期データを入力でき、系統図およびシミュレーション初期データの入力段階で、入力位置に関してミスことを防止でき、かつ、シミュレーションと描画を相互に監視装置のシミュレータの再起動をすることなく実行でき移動できる。さらに、系統図およびシミュレーション初期データの作成・修正作業を容易にすることができる。」（８頁１４欄段落【００４４】ないし９頁１５欄段落【００５０】）
　　
（３）対比・判断
ア　本願発明と刊行物１に記載された発明（以下、「刊行物発明」という）との対比
　本願発明と刊行物発明を対比すると、
（ア）上記（２）（ア）ないし（オ）によれば、
　刊行物発明は、エディタモードにおいてオペレータからの入力を受けるもの（上記（２）（イ）参照）であり、配水管網シミュレータの画面を上水道プラント監視制御システムにおける計算機のディスプレイに表示するもの（上記（２）（ア）参照）であるから、本願発明でいう「入力装置および表示装置を備えた中央演算処理装置」に相当する構成の存在が伺われる。
　そして、本願発明の「モジュール」もプログラムの一形態といえるところ、
　その配水管網シミュレータの画面には、構成要素部品アイコンを格納する部品箱および配水管網の構成要素部品である浄配水場４、需要点５、接続点６、管７、バルブ８、ポンプ９を示す部品アイコン（本願発明の「象形図」に相当）をプログラムで表示するもの（上記（２）（ア）参照）であり、本願発明と刊行物発明とは「表示装置上に上水道施設の各設備を個別に分割した象形図として表示する象形図表示プログラム」及び「個別の象形図を選択し設備の配置を行なうためのリストを表示する象形図リスト表示プログラム」を具備する点で一致している。
　また、刊行物発明は、シミュレーション結果をトレンドグラフにより表示するもの（上記（２）（エ）参照）であり、表示はプログラムによってなされるから、本願発明と刊行物発明とは「演算結果をグラフ化するグラフ表示プログラム」を具備する点で一致している。
　さらに、刊行物発明は、シミュレーションモードを有し模擬運転の状態を表示するといえ、表示はプログラムによってなされる（上記（２）（ア）（オ）参照）から、本願発明と刊行物発明とは「設備の模擬運転の状態を表示する運転状態表示プログラム」を具備する点で一致している。
　また、刊行物発明は、表示されている部品箱から選択された部品により構成された網図によりシミュレーションすなわち演算が行われるもの（上記（２）（ア）参照）であり、表示された部品が交換されれば当然それにともない、交換された部品に対応した演算がなされシミュレーションがなされるもの（上記（２）（ウ）参照）である。してみると、表示にともない、部品アイコン毎に演算処理ができるプログラムが存在するといえるから、本願発明と刊行物発明とは「象形図表示プログラムは象形図毎に演算処理ができるプログラムを組み込んだもの」とする点で一致している。
　また、上記（２）（ア）によれば、刊行物発明は、浄配水場４、需要点５、接続点６、管７、バルブ８、ポンプ９を示す部品アイコンを有し、浄配水場とは水の供給源であり、需要点とは水を消費する点であり、接続点とは管路の接続する点を表わすものであり、管とは節点部品間を接続する配水管路であり、バルブとは流量調節機能がついた管路であり、ポンプとは水圧の調節機能がついた管路を表わす上水道プラント監視制御システムであって、上水道についての部品アイコンを有してシミュレーションする装置といえるから、本願発明と刊行物発明は、「上水道シミュレーション装置」である点で一致する。
　
（イ）したがって、両者は
「入力装置および表示装置を備えた中央演算処理装置と、前記表示装置上に上水道施設の各設備を個別に分割した象形図として表示する象形図表示プログラムと、前記個別の象形図を選択し設備の配置を行なうためのリストを表示する象形図リスト表示プログラムと、演算結果をグラフ化するグラフ表示プログラムと、前記設備の模擬運転の状態を表示する運転状態表示モジュールとからなる上水道シミュレーション装置において、前記象形図表示プログラムは象形図毎に演算処理ができるプログラムを組み込んだものとした上水道シミュレーション装置。」
である点で一致し、次の点で相違しているものと認められる。
ａ　プログラムについて、本願発明は、「モジュール」であるのに対し、刊行物発明は、プログラムではあるがモジュールかは明らかでない点
ｂ　本願発明は「設備の仕様データを入力しかつ入力されたデータを前記中央演算処理装置に取り込む設備仕様データの入力取込みモジュールと、設備の仕様データを演算する演算モジュール」とからなるものであるのに対し、刊行物発明は、その点明らかでない点
ｃ　本願発明は「個別の象形図表示モジュール間の情報伝達を行なう情報伝達モジュールを設けた」ものであるのに対し、刊行物は、その点明らかでない点
　　
イ　相違点についての検討
　相違点ａについて
　プログラムを個々の部品毎にモジュールとして構成することは、例えば特開昭６３−１７０７６７号公報にあるように周知技術にすぎず、その採用は当業者が適宜なし得る程度のものである。
　なお、付言すれば、モジュールが象形図毎に別個のモジュールであったとしても、設計上適宜なしうる程度のことにすぎず、格別のものといえない。
　相違点ｂについて
　設備の仕様データはシミュレーションのための演算に先立って入力される設備のデータと解されるところ、上記（２）（イ）によれば、刊行物発明は、各部品単位のシミュレーション初期データの設定、入力ができ、それによりシミュレーションのための演算をするものであるから、当該初期データと設備の仕様データは、いずれも、シミュレーションの演算に必要なデータを入力し、それにより演算し、またその結果を他の部品単位（本願発明でいう「象形図」に対応）で使用する点で格別の差違があるとはいえず、相違点ａについての検討を勘案すれば、この相違点は格別のものということはできない。
　相違点ｃについて
　上記（２）（ア）によれば、刊行物発明は、浄配水場４、需要点５、接続点６、管７、バルブ８、ポンプ９を示す部品アイコンを有し、管路によりそれらを連結してシミュレーションする装置であり、これら部品間にデータの連絡があるからシミュレーションできると解され、相違点ａについての検討を勘案すれば、部品間に情報連絡を有するモジュールを設けることは適宜なし得ることといえる。
　
　そして、これら相違点を総合的に考慮しても当業者が推考し難い格別のものであるとすることはできず、また本願発明の効果についてみても、上記構成の採用に伴って当然に予測される程度のものにすぎず、格別顕著なものがあるともいえない。　
　
（４）むすび
　したがって、本願発明は、刊行物発明及び周知技術に基いて当業者が容易に発明をすることができたものであるので、他の請求項に係る発明について検討するまでもなく、本願は、特許法第２９条第２項の規定により特許を受けることができない。
　よって、結論のとおり審決する。